(57)【要約】【課題】共通の熱媒体の分配によって暖房および給湯の同時運転が可能である暖房給湯装置において、暖房および給湯の間での熱媒体の分配率を適切に制御する。【解決手段】分配弁１５０は、給湯用熱交換器１４０を含む給湯用経路と、暖房端末３００へ熱媒体を供給する暖房循環経路との間での熱媒体の分配率を制御する。バイパス流量制御弁１８０は、入水管２０６に導入された低温水の流量に対する、給湯用熱交換器１４０をバイパスするバイパス管２０９に導入される低温水の流量の比率であるバイパス比率を制御する。バイパス比率は、温度ンサ２５５によって検出される出湯温度が出湯目標温度となるように調整される。給湯および暖房の同時運転時において、分配弁１５０は、バイパス比率が低いときにはバイパス比率が高いときと比較して分配率が高くなるように制御される。【選択図】図１
2019027615.tif 000002
【特許請求の範囲】
【請求項１】
熱媒体を加熱する加熱機構と、
前記加熱機構によって加熱された前記熱媒体を暖房端末との間で循環するための暖房循環経路と、
熱交換のための一次側経路および二次側経路を有する給湯用熱交換器と、
前記暖房循環経路から分岐されて、前記熱媒体が前記暖房端末を経由せずに前記給湯用熱交換器の前記一次側経路を通流した後再び前記暖房循環経路に合流するように構成された給湯用経路と、
前記加熱機構で加熱された前記熱媒体の全流量に対する前記給湯用経路へ供給される熱媒体の流量の比率である分配率を制御するための分配制御機構と、
前記二次側経路の入力側と接続された入水管と、
前記二次側経路の出力側と接続された出湯管と、
前記入水管に導入された低温水を前記二次側経路を経由せずに前記出湯管へ導くバイパス経路と、
前記入水管に導入された低温水の全流量に対する前記バイパス経路に導入される低温水の流量の比率であるバイパス比率を制御するためのバイパス制御機構と、
前記出湯管において前記バイパス経路との接続点よりも下流側に接続された給湯口と、
前記入水管に導入された低温水の温度を検出する第１の温度検出器と、
前記出湯管において前記接続点よりも上流側に配置されて、前記二次側経路によって加熱された高温水の温度を検出する第２の温度検出器と、
前記出湯管において前記接続点よりも下流側に配置されて、前記給湯口からの出湯温度を検出する第３の温度検出器と、
前記第１から第３の温度検出器による検出値に基づいて、前記出湯温度を出湯目標温度に制御するために前記バイパス制御機構による前記バイパス比率を調整する制御部とを備え、
前記制御部は、暖房および給湯の同時運転時に、前記バイパス比率が低いときには前記バイパス比率が高いときと比較して前記分配率が高くなるように、前記分配制御機構を制御する、暖房給湯装置。
【請求項２】
前記制御部は、前記バイパス比率が所定の基準値である下で、前記第１の温度検出器によって検出された前記低温水の温度において前記出湯温度が前記出湯目標温度となるときの前記高温水の基準温度を算出するとともに、前記第２の温度検出器による前記高温水の検出温度が前記基準温度よりも低い場合に前記分配率を上昇させる、請求項１記載の暖房給湯装置。
【請求項３】
前記制御部は、制御周期毎に前記高温水の前記検出温度および前記基準温度の比較に基づいて、前記分配率の変化量を設定し、
前記分配率は、前記変化量の積算値に従って制御され、
前記変化量は、前記分配率を上昇させる量および前記分配率を低下させる量の両方を含む、請求項２記載の暖房給湯装置。
【請求項４】
前記制御部は、前記制御周期毎に前記分配率の前記変化量を、前記分配率を維持する量、前記分配率を上昇させる量、または、前記分配率を低下させる量に設定する、請求項３記載の暖房給湯装置。
【請求項５】
前記制御部は、前記バイパス比率が所定の下限値である下で、前記第１の温度検出器によって検出された前記低温水の温度において前記出湯温度が前記出湯目標温度となるときの前記高温水の下限温度を算出するとともに、前記第２の温度検出器による前記高温水の検出温度が前記下限温度よりも低い場合には、前記熱媒体の全量が前記給湯用経路に分配されるように前記分配率を制御する、請求項１〜４のいずれか１項に記載の暖房給湯装置。
【請求項６】
給湯が停止された暖房運転中において前記入水管に前記低温水の流量が生じていない期間に給湯プレヒート運転が要求されると、前記熱媒体の一部が前記給湯用経路に分配されるように前記分配制御機構による分配率が制御される、請求項１〜５のいずれか１項に記載の暖房給湯装置。
【請求項７】
給湯が停止された暖房運転中において前記入水管に前記低温水の流量が生じていない期間に凍結予防運転が要求されると、前記熱媒体の一部が前記給湯用経路に分配されるように前記分配制御機構による分配率が制御される、請求項１〜５のいずれか１項に記載の暖房給湯装置。
【発明の詳細な説明】
【技術分野】
【０００１】
本発明は、暖房給湯装置に関し、より特定的には、暖房および給湯の同時運転が可能である暖房給湯装置に関する。
【背景技術】
【０００２】
給湯装置の一態様として、暖房運転および温水運転（給湯運転）の両機能を有する暖房給湯装置が公知である。特表２０１１−５１５６４７号公報（特許文献１）には、暖房熱媒体を暖房用と給湯用とに分配するための分配装置を配置することによって、暖房および給湯の同時運転を可能とした構成が開示されている。
【先行技術文献】
【特許文献】
【０００３】
【特許文献１】特表２０１１−５１５６４７号公報
【発明の概要】
【発明が解決しようとする課題】
【０００４】
特許文献１では、暖房用経路と給湯用経路との間での熱媒体の分配比率を、暖房負荷および給湯負荷に応じて制御することが記載されている。具体的には、暖房負荷および給湯負荷の大小に応じて、暖房用経路への分配率と、給湯用経路への分配率とのいずれを高くするかを制御することが記載されている。
【０００５】
しかしながら、特許文献１では、給湯負荷および暖房負荷の大小をどのように判断するかについては具体的に記載されていない。一方で、同時運転での熱媒体の分配率を適切に制御するためには、給湯負荷および暖房負荷のバランスを定量的に判断することが重要となる。特に、給湯負荷の変化を反映して上記分配率を制御できなければ、給湯温度の安定性が低下することが懸念される。
【０００６】
この発明はこのような問題点を解決するためになされたものであって、本発明の目的は、共通の熱媒体の分配によって暖房および給湯の同時運転が可能である暖房給湯装置において、暖房および給湯の間での熱媒体の分配率を適切に制御することである。
【課題を解決するための手段】
【０００７】
本発明のある局面では、暖房給湯装置は、熱媒体を加熱する加熱機構と、暖房循環経路と、給湯用熱交換器と、給湯用経路と、分配制御機構と、入水管と、出湯管と、バイパス経路と、バイパス制御機構と、給湯口と、第１、第２および第３の温度検出器と、制御部とを備える。暖房循環経路は、加熱機構によって加熱された熱媒体を暖房端末との間で循環するように構成される。給湯用熱交換器は、熱交換のための一次側経路および二次側経路を有する。給湯用経路は、暖房循環経路から分岐されて、熱媒体が暖房端末を経由せずに給湯用熱交換器の一次側経路を通流した後再び暖房循環経路に合流するように構成される。分配制御機構は、熱機構で加熱された熱媒体の全流量に対する給湯用経路へ供給される熱媒体の流量の比率である分配率を制御する。入水管は、二次側経路の入力側と接続される。出湯管は、二次側経路の出力側と接続される。バイパス経路は、入水管に導入された低温水を二次側経路を経由せずに出湯管へ導くように構成される。バイパス制御機構は、入水管に導入された低温水の全流量に対するバイパス経路に導入される低温水の流量の比率であるバイパス比率を制御する。給湯口は、出湯管においてバイパス経路との接続点よりも下流側に接続される。第１の温度検出器は、入水管に導入された低温水の温度を検出する。第２の温度検出器は、出湯管において接続点よりも上流側に配置されて、二次側経路によって加熱された高温水の温度を検出する。第３の温度検出器は、出湯管において接続点よりも下流側に配置されて、給湯口からの出湯温度を検出する。制御部は、第１から第３の温度検出器による検出値に基づいて、出湯温度を出湯目標温度に制御するためにバイパス制御機構によるバイパス比率を調整する。さらに、制御部は、暖房および給湯の同時運転時に、バイパス比率が低いときにはバイパス比率が高いときと比較して分配率が高くなるように分配制御機構を制御する。
【０００８】
上記暖房給湯装置によれば、給湯の出湯温度制御によって調整されたバイパス比率によって給湯余裕度を判断し、バイパス比率が低い場合には給湯余裕度が低いと判断して分配率を上昇させることで、給湯用熱交換器への熱媒体の供給量を増やすことができる。この結果、暖房および給湯の間での熱媒体の分配率を適切に制御することによって給湯温度を安定化することができる。
【０００９】
好ましくは、制御部は、バイパス比率が所定の基準値である下で、第１の温度検出器によって検出された低温水の温度において出湯温度が出湯目標温度となるときの高温水の基準温度を算出するとともに、第２の温度検出器による高温水の検出温度が基準温度よりも低い場合に分配率を上昇させる。
【００１０】
このように構成すると、バイパス比率と連動し、かつバイパス比率よりも安定的に変化する高温水温度を用いて、給湯余裕度の大小を評価することができるので、分配制御機構を安定的に制御することができる。
【００１１】
さらに好ましくは、制御部は、制御周期毎に高温水の検出温度および基準温度の比較に基づいて、分配率の変化量を設定する。分配率は、変化量の積算値に従って制御され、変化量は、分配率を上昇させる量および分配率を低下させる量の両方を含む。
【００１２】
このように構成すると、給湯余裕度が小さいときに出湯温度を確保するために分配率を上昇させて給湯用経路への熱媒体の供給を増やすとともに、給湯余裕度が大きいときには、分配率を低下させて暖房端末への熱媒体の供給を増やすことができる。この結果、給湯負荷の減少により、バイパス比率が大きくても出湯温度を確保できる状況では、給湯用熱交換器への熱媒体の供給を過剰にすることなく、暖房端末への熱媒体の供給量を確保することができる。
【００１３】
さらに好ましくは、制御部は、制御周期毎に分配率の変化量を、分配率を維持する量、分配率を上昇させる量、または、分配率を低下させる量に設定する。
【００１４】
このように構成すると、分配率を維持する領域を設けることにより、分配制御機構を安定的に制御することができる。
【００１５】
また好ましくは、制御部は、バイパス比率が所定の下限値である下で、第１の温度検出器によって検出された低温水の温度において出湯温度が出湯目標温度となるときの高温水の下限温度を算出するとともに、第２の温度検出器による高温水の検出温度が下限温度よりも低い場合には、熱媒体の全量が給湯用経路に分配されるように分配率を制御する。
【００１６】
このように構成すると、給湯負荷の増大によりバイパス比率が低下したときには、熱媒体の全量を給湯用熱交換器へ供給することにより、給湯負荷への対応を優先した同時運転を実現することができる。
【００１７】
好ましくは、給湯が停止された暖房運転中において入水管に低温水の流量が生じていない期間に給湯プレヒート運転が要求されると、熱媒体の一部が給湯用経路に分配されるように分配制御機構による分配率が制御される。
【００１８】
このように構成すると、給湯が停止される暖房運転中においても、熱媒体の一部を給湯用熱交換器の一次側経路に通流するように分配率を制御することによって、給湯開始時における出湯温度の落ち込みを防止するための給湯プレヒート運転を実行することができる。
【００１９】
また好ましくは、給湯が停止された暖房運転中暖房運転中において入水管に低温水の流量が生じていない期間に凍結予防運転が要求されると、熱媒体の一部が給湯用経路に分配されるように分配制御機構による分配率が制御される。
【００２０】
このように構成すると、給湯がオフされる暖房運転中においても、熱媒体の一部を給湯用熱交換器の一次側経路に通流するように分配率を制御することによって、入水管および出湯管等での滞留水の凍結を防止するための凍結予防運転を実行することができる。
【発明の効果】
【００２１】
本発明によれば、共通の熱媒体の分配によって暖房および給湯の同時運転が可能である暖房給湯装置において、暖房および給湯の間での熱媒体の分配率を適切に制御することができる。
【図面の簡単な説明】
【００２２】
【図１】実施の形態１に従う暖房給湯装置の構成を説明するブロック図である。
【図２】図１に示されたコントローラによる暖房給湯装置の動作制御を説明する機能ブロック図が示される。
【図３】給湯運転および同時運転で実行される出湯温度制御の制御処理を説明するフローチャートである。
【図４】バイパス流量制御弁のステップ数およびバイパス比率の関係を説明する概念図である。
【図５】高温水温度を用いた分配率の制御の第１の例を説明する概念図である。
【図６】分配弁の開度と熱媒体の分配率との関係を示す概念図である。
【図７】高温水温度を用いた分配率の制御の第２の例を説明する概念図である。
【図８】実施の形態２に従う暖房運転中の分配弁の制御の第１の例を説明するフローチャートである。
【図９】実施の形態２に従う暖房運転中の分配弁の制御の第２の例を説明するフローチャートである。
【発明を実施するための形態】
【００２３】
以下に本発明の実施の形態について、図面を参照して詳細に説明する。なお以下では、図中の同一または相当部分には同一符号を付してその説明は原則的に繰返さないものとする。
【００２４】
［実施の形態１］
図１は、実施の形態１に従う暖房給湯装置の構成を説明するブロック図である。
【００２５】
図１を参照して、実施の形態１に従う暖房給湯装置１００は、暖房端末３００と接続される出力端１０１および入力端１０２と、水道水等の低温水が導入される入水管２０６と、給湯栓３５０等に給湯するための給湯口２１６とを備える。暖房給湯装置１００では、出力端１０１および入力端１０２を介して、暖房端末３００へ熱媒体（高温水）を循環させることによって暖房機能が実現される。さらに、入水管２０６に導入された低温水を、熱媒体との熱交換によって加熱することで、給湯口２１６からの給湯機能が実現される。
【００２６】
まず、暖房給湯装置１００の暖房機能に関連する構成を中心に説明する。暖房給湯装置１００は、さらに、燃焼バーナ１２０および熱交換器１３０が内蔵された缶体１０５と、排気管１０６と、コントローラ１１０と、吸い込み式ファン１２５と、給湯用熱交換器１４０と、分配弁１５０と、循環ポンプ１６０と、配管２０１〜２０５とを備える。
【００２７】
燃焼バーナ１２０は、ガスに代表される燃料の供給を受けて、当該燃料の燃焼によって熱量を発生する。燃料は、流量制御バルブ１２１を経由して燃焼バーナ１２０に供給される。燃料燃焼のための空気は、吸い込み式ファン１２５によって缶体１０５へ導入される。吸い込み式ファン１２５の制御に伴って流量制御バルブ１２１の開度が変化することによって、燃焼バーナ１２０へ供給されるガス流量、すなわち、燃焼バーナ１２０での発生熱量を制御することができる。
【００２８】
熱交換器１３０は、主に燃焼バーナ１２０での燃料燃焼の顕熱によって流体を加熱するための一次熱交換器１３１と、主に燃料燃焼による排気ガスの潜熱によって流体を加熱する二次熱交換器１３２とを有する。
【００２９】
燃焼バーナ１２０の燃焼によって生じる燃焼排ガスは、排気管１０６を経由して、暖房給湯装置１００の外部に排出される。また、二次熱交換器１３２において、燃焼排ガス が潜熱回収のための熱交換により冷やされて凝縮することにより生じた酸性水（ドレン）は、図示しない中和器で中和処理された後で水封トラップ１９５に集められて、暖房給湯装置１００の外部に排出される。
【００３０】
暖房端末３００を通流した熱媒体が入力される入力端１０２は、配管２０１によって、二次熱交換器１３２の入力側と接続される。一次熱交換器１３１の出力側は、配管２０２と接続される。配管２０２は、分配弁１５０を経由して、配管２０３および２０４と接続される。配管２０３は、暖房端末３００に対して熱媒体を出力するための出力端１０１と接続される。配管２０４は、給湯用熱交換器１４０の一次側経路１４１の入力側と接続される。給湯用熱交換器１４０の一次側経路１４１の出力側は、配管２０５によって、配管２０１と接続される。
【００３１】
分配弁１５０は、コントローラ１１０によって開度を制御される。分配弁１５０の開度に応じて、配管２０２から配管２０３への経路の流量と、配管２０２から配管２０４への経路の流量との比率を制御することができる。たとえば、分配弁１５０の開度は、図示しない弁体を開閉駆動するステッピングモータ（図示せず）のステップ数によって制御される。
【００３２】
出力端１０１および入力端１０２の間には、暖房端末３００および図示しない暖房ポンプと接続される。当該暖房ポンプが作動することにより、暖房給湯装置１００の内部では、暖房端末３００との間で熱媒体を循環するための「暖房循環経路」が、出力端１０１および入力端１０２の間に形成される。暖房循環経路は、配管２０１、熱交換器１３０、配管２０２、分配弁１５０、および、配管２０３を含む。たとえば、熱媒体は、熱交換器１３０で燃焼バーナ１２０の発生熱量によって加熱された高温水である。すなわち、燃焼バーナ１２０および熱交換器１３０は「加熱機構」の一実施例に対応する。
【００３３】
熱媒体を暖房端末３００に供給することにより、暖房端末３００が配置された空間（室内）を暖房することができる。すなわち、暖房給湯装置１００は、上述の暖房ポンプの作動によって形成された暖房循環経路を通流する熱媒体を加熱することによって、暖房機能を実現することができる。
【００３４】
暖房循環経路には、圧力逃がし弁１９０がさらに設けられる。また、図示を省略しているが、暖房循環経路には、熱媒体が減少した際に水道水等によって補給するための回路がさらに接続される。
【００３５】
分配弁１５０によって熱媒体を配管２０４に導入することにより、熱交換器１３０によって加熱された熱媒体について、暖房循環経路から分岐された「給湯用経路」を形成することができる。当該給湯用経路は、配管２０４、給湯用熱交換器１４０の一次側経路１４１、配管２０５を含む。給湯用経路を通流する熱媒体は、暖房端末３００を経由せずに、給湯用熱交換器１４０（一次側経路１４１）を通流した後、配管２０１および２０５の接続点２０７において、暖房循環経路に合流する。
【００３６】
循環ポンプ１６０は、配管２０１において、上記接続点２０７よりも下流側（熱交換器１３０側）に配置される。したがって、循環ポンプ１６０を作動すれば、暖房ポンプの作動によって暖房循環経路が形成されていなくても、熱媒体を熱交換器１３０および給湯用熱交換器１４０に通流させるための上記給湯用経路を形成することができる。
【００３７】
分配弁１５０の開度によって、熱交換器１３０で加熱された熱媒体について、暖房循環経路への供給流量と、給湯用経路への供給流量との比率を制御することができる。以下では、熱交換器１３０から出力された熱媒体の全流量に対する、給湯用経路へ供給される流量の比率を分配率ηｘとも称する。分配率ηｘは、ηｘ＝０（すなわち、熱媒体の全量暖房循環経路を通流）からηｘ＝１．０（すなわち、熱媒体の全量が給湯用経路を通流）までの間で制御される（０≦ηｘ≦１．０）。分配弁１５０による分配率ηｘは、上述したステッピングモータ（図示せず）のステップ数によって制御することができる。分配弁１５０は「分配制御機構」の一実施例に対応する。
【００３８】
次に、暖房給湯装置１００の給湯機能に関連する、給湯用熱交換器１４０の二次側経路１４２と接続される構成について説明する。
【００３９】
暖房給湯装置１００は、入水管２０６および出湯管２１０に加えて、バイパス管２０９と、流量調整弁１７０と、バイパス流量制御弁１８０とを備える。
【００４０】
給湯栓３５０が開栓されると、入水管２０６から、水道水等の水圧によって低温水が導入される。入水管２０６は、給湯用熱交換器１４０の二次側経路１４２の入力側と接続される。出湯管２１０は、給湯用熱交換器１４０の二次側経路１４２の出力側と、給湯口２１６との間に接続される。給湯用熱交換器１４０では、一次側経路１４１を通流する熱媒体の熱量によって、二次側経路１４２を通流する低温水が加熱される。この結果、二次側経路１４２から出湯管２１０へ高温水が出力される。
【００４１】
バイパス管２０９は、入水管２０６および出湯管２１０の間に、給湯用熱交換器１４０のバイパス経路を形成するように配設される。出湯管２１０には、バイパス管２０９との合流点２１４が設けられる。給湯口２１６は、合流点２１４よりも下流側で出湯管２１０と接続される。これにより、給湯用熱交換器１４０で加熱された高温水と、バイパス管２０９を通過した低温水とが混合された適温の湯が、給湯口２１６から給湯栓３５０等へ供給される。
【００４２】
バイパス流量制御弁１８０は、バイパス管２０９に配設される。バイパス流量制御弁１８０の開度によって、入水管２０６に導入された低温水の全流量に対するバイパス管２０９に導入される低温水の流量の比率（以下、バイパス比率ηとも称する）が制御される。バイパス比率ηは、高温水および低温水の混合比率に相当する。たとえば、バイパス流量制御弁１８０によるバイパス比率ηは、分配弁１５０と同様に、図示しない弁体を開閉駆動するステッピングモータ（図示せず）のステップ数によって制御することができる。バイパス流量制御弁１８０は「バイパス制御機構」の一実施例に対応する。
【００４３】
入水管２０６には、流量調整弁１７０を配置することができる。たとえば、給湯開始直後での加熱能力が不足する期間中において、出湯流量を絞るように流量調整弁１７０の開度が制御されることによって、出湯温度の低下を防止することができる。また、給湯開始直後以外でも、高流量時において、給湯設定湯温に従って出湯するために、流量調整弁１７０の開度制御によって出湯流量を絞ることができる。
【００４４】
配管２０１には、暖房循環経路において熱交換器１３０への熱媒体の入力温度Ｔｉｎを検出するための温度センサ２５１が設けられる。配管２０２には、熱交換器１３０によって加熱された熱媒体の出力温度Ｔｈｍを検出するための温度センサ２５２が配置される。
【００４５】
さらに、給湯機能に関連して、入水管２０６に導入される低温水温度Ｔｗを検出するための温度センサ２５３が設けられる。給湯用熱交換器１４０の二次側経路１４２の出力側には、高温水温度Ｔｈを検出するための温度センサ２５４が配置される。さらに、出湯管２１０の合流点２１４よりも下流側に、高温水および低温水の混合後の出湯温度Ｔｏを検出するための温度センサ２５５が配置される。温度センサ２５３は「第１の温度検出器」の一実施例に対応し、温度センサ２５４は「第２の温度検出器」の一実施例に対応し、温度センサ２５５は「第３の温度検出器」の一実施例に対応する。
【００４６】
コントローラ１１０は、電源回路１１７から電源電圧（たとえば、ＤＣ１５Ｖ）の供給を受けて動作する。電源回路１１７は、暖房給湯装置１００の外部電源（たとえば、商用ＡＣ電源）からの電力を、電源電圧に変換する。
【００４７】
コントローラ１１０は、ＣＰＵ（Central  Processing  Unit）１１１と、メモリ１１２と、インターフェイス１１５と、時計部１１６とを有する。時計部１１６によって、コントローラ１１０は、日付および時刻を検知することが可能である。コントローラ１１０は、メモリ１１２に予め格納されたプログラムを実行することによって、暖房給湯装置１００がユーザの運転指令に従って動作するように、各構成機器の動作を制御する。
【００４８】
このように、暖房給湯装置１００では、分配弁１５０による熱媒体の分配率の制御により、暖房および給湯の同時運転と、暖房機能のみの暖房単独運転（以下、単に暖房運転とも称する）、および、給湯機能のみの給湯単独運転（以下、単に給湯運転とも称する）を選択的に実行することが可能である。すなわち、給湯は、給湯運転および同時運転の各々で実行され、暖房は、暖房運転および同時運転の各々で実行される。
【００４９】
図２には、コントローラ１１０による暖房給湯装置１００の動作制御を説明する機能ブロック図が示される。
【００５０】
図２を参照して、コントローラ１１０は、暖房給湯装置１００のリモートコントローラ（以下、単に「リモコン」とも称する）４００と、通信線（たとえば、２芯通信線）によって接続される。リモコン４００およびコントローラ１１０の間は、双方向に通信可能である。
【００５１】
リモコン４００には、表示部４１０および操作部４２０が設けられる。操作部４２０を用いて、ユーザは暖房給湯装置１００の運転指令を入力することができる。運転指令は、暖房給湯装置１００の運転オンオフ指令、給湯運転および同時運転における給湯設定温度、および、暖房運転および同時運転における暖房能力を含む。表示部４１０は、液晶パネルによって構成することができる。表示部４１０は、暖房給湯装置１００の動作状態や、設定されている運転指令の内容を示す情報を視覚的に表示することができる。あるいは、操作部４２０の一部または全部は、タッチパネルによって構成された表示部４１０の一部領域を用いて構成することも可能である。
【００５２】
コントローラ１１０には、リモコン４００に入力された運転指示が伝達される。さらに、温度センサ２５１〜２５５によって検出された、熱媒体の入力温度Ｔｉｎおよび出力温度Ｔｈｍ、ならびに、低温水温度Ｔｗ、高温水温度Ｔｈおよび、出湯温度Ｔｏが入力される。さらに、コントローラ１１０には、流量センサ２６０による流量検出値Ｑ１が入力される。また、コントローラ１１０には、暖房端末３００側からの信号Ｓｗａを入力することができる。たとえば、信号Ｓｗａには、暖房端末３００からの暖房要求の有無を示す信号が含まれる。
【００５３】
コントローラ１１０は、リモコン４００に入力された運転指示に従って暖房給湯装置１００が動作するように、暖房運転、給湯運転、および、同時運転の切換え、ならびに、各運転での設定指令値（具体的には、給湯設定温度および暖房能力）に従う動作のために、暖房給湯装置１００の各構成機器を制御する。具体的には、コントローラ１１０は、循環ポンプ１６０の動作および停止を制御する信号、分配弁１５０の開度を制御する信号、バイパス流量制御弁１８０の開度を制御する信号、流量調整弁１７０の開度を制御する信号、および、燃焼バーナ１２０の作動／停止および発生熱量を制御するための信号（たとえば、吸い込み式ファン１２５の回転速度制御信号）を出力する。これらの信号は、ＣＰＵ１１１での制御処理結果に従って、インターフェイス１１５を経由して、コントローラ１１０から出力される。
【００５４】
暖房運転では、燃焼バーナ１２０および循環ポンプ１６０を作動するとともに、分配率ηｘ＝０となるように分配弁１５０を制御することによって、暖房端末３００との間で熱媒体を循環するための暖房循環経路が形成される。コントローラ１１０は、操作部４２０への入力によって暖房給湯装置１００が運転オン状態であるときに、信号Ｓｗａによって暖房要求が入力されると、循環ポンプ１６０および燃焼バーナ１２０を作動させて、熱媒体を加熱するとともに、上述の暖房循環経路を形成する。燃焼バーナ１２０の発生熱量は、熱媒体の出力温度Ｔｈｍが、設定された暖房能力に対応する出力温度目標と一致するように制御される。
【００５５】
給湯運転時には、循環ポンプ１６０および燃焼バーナ１２０を作動するとともに、分配率ηｘ＝１．０となるように分配弁１５０を制御する。すなわち、熱交換器１３０で加熱された熱媒体の全量が給湯用経路を通流する。コントローラ１１０は、暖房給湯装置１００が運転オン状態であり、かつ、暖房要求がないときに、給湯栓３５０の開栓等に応じて流量センサ２６０の流量検出値Ｑ１が所定の最低流量よりも多くなると給湯運転を実行する。
【００５６】
給湯運転では、給湯用熱交換器１４０において、入水管２０６から二次側経路１４２に導入された低温水が、一次側経路１４１を通流する熱媒体によって加熱される。この結果、出湯管２１０からは、給湯用熱交換器１４０による加熱後の高温水（高温水温度Ｔｈ）と、バイパス管２０９を通過した低温水（低温水温度Ｔｗ）とを混合して給湯することができる。バイパス流量制御弁１８０の開度調整によるバイパス比率ηの制御によって、暖房給湯装置１００からの出湯温度Ｔｏは出湯目標温度Ｔｓｖに制御される。バイパス比率ηによる温度制御では、下記の式（１）が成立する。したがって、式（１）において、Ｔｏ＝Ｔｓｖを代入することにより、高温水温度Ｔｈおよび低温水温度Ｔｗから、式（２）に従ってバイパス比率の理論値ηｒを求めることができる。
【００５７】
Ｔｏ＝Ｔｈ・（１−η）＋Ｔｗ・η          …（１）
ηｒ＝（Ｔｈ−Ｔｓｖ）／（Ｔｈ−Ｔｗ）    …（２）
コントローラ１１０は、暖房運転中（ηｘ＝０）に、給湯栓３５０の開栓等に応じて流量センサ２６０による流量検出値Ｑ１が所定の最低流量よりも多くなると、暖房および給湯の同時運転を実行する。同様に、給湯運転中（ηｘ＝１．０）に、信号Ｓｗａによって暖房要求が入力された場合にも同時運転が実行される。
【００５８】
同時運転では、暖房循環経路および給湯用経路の両方に熱媒体が供給されるように、分配弁１５０による分配率ηｘは、０＜ηｘ＜１．０に制御される。この際に、給湯負荷に対して分配率ηｘが低いと、バイパス比率ηを最小としても出湯温度Ｔｏを確保できなくなる。また、暖房端末３００への熱媒体の供給量が不足すると暖房機能の低下が懸念される。ただし、暖房機能および給湯機能を比較すると、熱媒体の供給不足が暖房能力の低下に至るまでには一定の時間を要する一方で、出湯温度Ｔｏの低下は、ダイレクトにユーザ利便性を低下させることが懸念される。
【００５９】
このため、同時運転では、給湯負荷への対応を優先した上で、すなわち、出湯温度を確保するための給湯用経路の熱媒体流量が確保される範囲内で、暖房端末３００への熱媒体の供給量がなるべく多くなるように、分流率ηｘを制御することが効率的である。
【００６０】
したがって、本実施の形態に従う暖房給湯装置１００では、以下に説明するような給湯余裕後の判断に基づいて分配弁１５０による分配率ηｘを制御する。なお、同時運転においても、出湯温度Ｔｏは、給湯運転と同様のバイパス流量制御弁１８０の開度調整（バイパス比率η）によって、出湯目標温度Ｔｓｖに制御される。
【００６１】
図３は、同時運転および給湯運転における出湯温度制御の制御処理を説明するフローチャートである。図３に示す制御処理はコントローラ１１０により、制御周期毎に繰返し実行される。
【００６２】
図３を参照して、コントローラ１１０は、ステップＳ１００により、温度センサ２５３〜２５５の検出値に基づき、低温水温度Ｔｗ、高温水温度Ｔｈおよび出湯温度Ｔｏを読込む。さらに、ステップＳ１００では、リモコン４００によって入力された出湯目標温度Ｔｓｖが読み込まれる。コントローラ１１０は、ステップＳ１１０により、式（２）に従って、ステップＳ１１０で読込んだ低温水温度Ｔｗおよび高温水温度Ｔｈと、出湯目標温度Ｔｓｖとを用いて、バイパス比率の理論値ηｒを算出する。これにより、バイパス比率ηのフィードフォワード制御を行なうことができる。
【００６３】
さらに、コントローラ１１０は、ステップＳ１２０による、フィードバック制御を組合せることが可能である。ステップＳ１２０では、出湯目標温度Ｔｓｖに対する温度偏差ΔＴｏ（ΔＴｏ＝Ｔｏ−Ｔｓｖ）に基づき、バイパス比率のフィードバック制御項ηｆｂが算出される。たとえば、温度偏差ΔＴｏの比例制御（Ｐ制御）または比例積分制御（ＰＩ制御）等によって、フィードバック制御項ηｆｂを算出することができる。
【００６４】
コントローラ１１０は、ステップＳ１３０により、バイパス比率設定値ηｓｔを算出する。たとえば、理論値ηｒ（フィードフォワード制御項）とフィードバック制御項ηｆｂとの和に従って、バイパス比率設定値ηｓｔを算出することができる（ηｓｔ＝ηｒ＋ηｆｂ）。コントローラ１１０は、ステップＳ１４０により、バイパス比率設定値ηｓｔ（Ｓ１３０）を、バイパス流量制御弁１８０の開度制御のためのステップ数ｘに変換する。
【００６５】
図４は、バイパス流量制御弁のステップ数およびバイパス比率の関係を説明する概念図である。
【００６６】
図４を参照して、特性線５００は、バイパス流量制御弁１８０のステップ数ｘに対するバイパス比率ηのプロット点の集合を示している。本実施の形態では、ステップ数ｘが大きいほど、バイパス比率ηは低下するものとする。
【００６７】
特性線５００に従って、バイパス比率ηからステップ数ｘを逆算する関係式またはテーブルを予め設定することにより、バイパス比率設定値ηｓｔを実現するためのステップ数ｘｓｔを求めることができる。この結果、ステップＳ１４０で算出されたステップ数ｘｓｔに従ってバイパス流量制御弁１８０の開度を制御することにより、バイパス比率η＝ηｓｔに制御することができる。
【００６８】
ここで、式（１）の両辺をηで微分すると、ｄＴｏ／ｄη＝Ｔｗ−Ｔｈ＜０であるから、出湯温度Ｔｏを上昇するためには、バイパス比率ηを低下させる制御が行われることが理解される。また、フィードバック制御によっても、出湯温度Ｔｏが低下すると、ΔＴｏ（ΔＴｏ＝Ｔｏ−Ｔｓｖ）が減少するので、バイパス比率ηを低下することによって、出湯温度Ｔｏの確保が図られる。
【００６９】
したがって、同時運転中には、出湯温度制御によるバイパス比率ηに着目して、給湯余裕度を判断することができる。具体的には、バイパス比率ηが小さいときには、給湯余裕度が小さいため、出湯温度Ｔｏを確保するために分配率ηｘを上昇させる必要があると判断することができる。一方で、バイパス比率ηが大きいときには、給湯余裕度が大きいため、分配弁１５０による分配率ηｘを低下させる余地があると判断することができる。
【００７０】
したがって、最も単純には、バイパス比率ηに基づき、バイパス比率ηが小さいときに、バイパス比率ηが大きいときよりも分配率ηｘが高くなるように、分配弁１５０を制御することができる。しかしながら、バイパス比率ηは、出湯温度Ｔｏを速やかに制御するために、比較的高速に変化する傾向にある。このため、バイパス比率ηを基準値と単純に比較する制御だと、分配率ηｘも過度に増減を繰り返すことが懸念される。
【００７１】
一方で、バイパス比率ηが、Ｔｏ＝Ｔｓｖを維持するように制御されている下において、式（１）を変形した式（３）が成立する。
【００７２】
Ｔｈ＝（Ｔｓｖ−Ｔｗ・η）／（１−η）    …（３）
式（３）において、微小時間変化におけるＴｓｖおよびＴｗは定数とみなせるので、高温水温度Ｔｈは、実質的にはバイパス比率ηの関数である。式（３）の両辺をバイパス比率ηで微分すると、式（４）が得られる。
【００７３】
ｄＴｈ／ｄη＝{−Ｔｗ・（１−η）＋（Ｔｓｖ−Ｔｗ・η）}／（１−η）2
＝（Ｔｓｖ−Ｔｗ）／（１−η）2    …（４）
Ｔｓｖ＞Ｔｗであるから、式（４）からｄＴｈ／ｄη＞０となる。したがって、出湯温度制御では、バイパス比率ηに対して高温水温度Ｔｈは単調増加する関係にある。
【００７４】
このため、バイパス比率ηよりも安定的に変化する高温水温度Ｔｈを用いて、間接的にバイパス比率ηの大小、すなわち、給湯余裕度の大小を評価することができる。
【００７５】
図５には、高温水温度を用いた分配率の制御の第１の例を説明する概念図が示される。
図５を参照して、バイパス比率ηについて予め基準値η０を設定すると、式（３）において、η＝η０を代入することにより、出湯目標温度Ｔｓｖおよび温度センサ２５３によって検出された低温水温度Ｔｗを用いて、式（５）に示すように高温水温度Ｔｈについての基準温度Ｔ０を得ることができる。
【００７６】
Ｔ０＝（Ｔｓｖ−Ｔｗ・η０）／（１−η０）    …（５）
すなわち、基準温度Ｔ０は、バイパス比率ηが基準値η０である下で、現在の低温水温度Ｔｗにおいて出湯温度Ｔｏが出湯目標温度Ｔｓｖとなるときの高温水温度Ｔｈに相当する。
【００７７】
したがって、高温水温度Ｔｈが基準温度Ｔ０よりも高い場合には、給湯余裕度が大きいと判断して分配率ηｘを現在値よりも低下させる一方で、高温水温度Ｔｈが基準温度Ｔ０よりも低い場合には、給湯余裕度が小さいと判断して分配率ηｘを現在値よりも上昇させるように、分配弁１５０を制御することができる。
【００７８】
なお、式（５）では、低温水温度Ｔｗが基準温度Ｔ０に反映されており、低温水温度Ｔｗが低いと、基準温度Ｔ０が相対的に高く設定されることにより、給湯余裕度は相対的に小さく判断され易くなることが理解される。
【００７９】
図６は、分配弁の開度と熱媒体の分配率との関係を示す概念図である。
図６を参照して、特性線５１０は、分配弁１５０のステップ数ｘに対する、熱媒体の分配率ηｘのプロット点の集合を示している。本実施の形態では、ステップ数ｘが小さいほど、分配率ηｘが大きくなって給湯用経路への熱媒体の供給が増加するものとする。反対に、ステップ数ｘが大きいほど、分配率ηｘが小さくなって暖房循環経路への熱媒体の供給が増加する。
【００８０】
再び図５を参照して、コントローラ１１０は、高温水温度Ｔｈおよび基準温度Ｔ０の比較に基づき、分配弁１５０のステップ数の変化量ｄｘを設定する。さらに、分配弁１５０のステップ数ｘは、変化量ｄｘの積算値Ｘｓｕｍに従って設定される。
【００８１】
コントローラ１１０は、高温水温度Ｔｈが基準温度Ｔ０よりも低いときには、ステップ数の変化量ｄｘを負値（ｄｘ＜０）に設定して、分配率ηｘを現在値よりも上昇させて、給湯用経路への熱媒体の供給量を増加することができる。これにより、給湯負荷の増大により、出湯温度Ｔｏを確保するためにバイパス比率ηが小さくなると、給湯用熱交換器１４０を通過する熱媒体を増加することによって、給湯温度の低下を防止することができる。
【００８２】
反対に、高温水温度Ｔｈが基準温度Ｔ０よりも高いときには、コントローラ１１０は、ステップ数の変化量ｄｘを正値（ｄｘ＞０）に設定して、分配率ηｘを現在値よりも低下させる、すなわち、暖房循環経路への熱媒体の供給量を増加することができる。これにより、給湯負荷の減少により、バイパス比率ηが大きくても出湯温度Ｔｏを確保できる状況では、給湯用熱交換器１４０への熱媒体の供給を過剰にすることなく、暖房端末３００への熱媒体の供給量を確保することができる。
【００８３】
このようにすると、低温水温度Ｔｗおよびバイパス比率ηに対応させて、給湯余裕度の大小を高温水温度Ｔｈによって間接的に判断することで、熱媒体の分配率ηｘを制御することができる。
【００８４】
あるいは、図７に示される第２の例のように、基準温度を複数段階設けることによって、分配率ηｘをさらに安定的に制御することも可能である。
【００８５】
図７を参照して、バイパス比率ηについて基準値η１およびη２（η２＞η１）を予め定めることにより、出湯目標温度Ｔｓｖおよび温度センサ２５３によって検出された低温水温度Ｔｗを用いて、基準温度Ｔ１およびＴ２を下記の式（６），（７）によって定めることができる。
【００８６】
Ｔ１＝（Ｔｓｖ−Ｔｗ・η１）／（１−η１）    …（６）
Ｔ２＝（Ｔｓｖ−Ｔｗ・η２）／（１−η２）    …（７）
式（４）に示したようにｄＴｈ／ｄη＞０であるから、η２＞η１に対応して、Ｔ２＞Ｔ１である。
【００８７】
高温水温度Ｔｈが基準温度Ｔ２よりも高いときには、ステップ数の変化量ｄｘ＝Ｘｄ（Ｘｄ＞０）に設定されることにより、分配率ηｘは現在値よりも低下される。Ｘｄは、分配率ηｘを低下するためにステップ数ｘを増加させるときの単位変化量であり、予め設定することができる。
【００８８】
一方で、高温水温度Ｔｈが基準温度Ｔ１よりも低いときには、ステップ数の変化量ｄｘ＝−Ｘｕ（Ｘｕ＞０）に設定されることにより、分配率ηｘは現在値よりも上昇される。Ｘｕは、分配率ηｘを上昇するためにステップ数ｘを減少させるときの単位変化量であり、予め設定することができる。
【００８９】
図７の例では、Ｔ１＜Ｔｈ＜Ｔ２の範囲内では、ｄｘ＝０に維持されて、現在の分配率ηｘが維持される。このように、ｄｘ＝０となる範囲を設けることによって、給湯余裕度に応じて、熱媒体の分配率ηｘを維持、上昇、または低下するように、変化量ｄｘを設定することができる。特に、分配率ηｘ、すなわち、分配弁１５０の開度（ステップ数ｘ）を維持する領域を設けることにより、分配弁１５０を安定的に制御することができる。
【００９０】
さらに、バイパス比率ηについて、給湯余裕度の限界を示す下限値ηｚが設定される。基準温度Ｔ０〜Ｔ２と同様に、式（３）においてη＝ηｚを代入することにより、出湯目標温度Ｔｓｖおよび低温水温度Ｔｗ（温度センサ２５３）を用いて、下限温度Ｔｚを得ることができる。
【００９１】
そして、コントローラ１１０は、高温水温度Ｔｈが下限温度Ｔｚよりも低い場合には、分配率ηｘ＝１．０となるように、積算値Ｘｓｕｍをクリアして（Ｘｓｕｍ＝０）、分配弁１５０のステップ数ｘ＝０に制御する。これにより、出湯温度Ｔｏを確保するために、熱媒体の全量を給湯用経路（給湯用熱交換器１４０）に供給することができる。このように、給湯負荷の増大によりバイパス比率ηが低下したときには、熱媒体の全量を給湯用熱交換器１４０へ供給することにより、給湯負荷への対応を優先した同時運転を実現することができる。なお、分配率ηｘ＝１．０としても出湯温度Ｔｏが出湯目標温度Ｔｓｖよりも低い場合には、さらに、流量調整弁１７０によって低温水の流量を絞る制御を実行することができる。
【００９２】
このように、実施の形態１に従う暖房給湯装置によれば、共通の熱媒体の分配による暖房および給湯の同時運転において、出湯温度制御の状況（バイパス比率ηまたは高温水温度Ｔｈ）に基づいて給湯余裕度を判断して、熱媒体の分配率を適切に制御することにより、給湯負荷に応じて給湯温度を安定的に制御できる。また、給湯負荷が低いとき（給湯余裕度が大きいとき）に、暖房端末への熱媒体の供給量を確保することができる。
【００９３】
［実施の形態２］
実施の形態２では、給湯が停止された暖房運転中での分配弁１５０の特殊な制御について説明する。
【００９４】
暖房給湯装置１００では、給湯用熱交換器１４０における液体同士の熱交換によって給湯が行なわれる。このため、冬季等の低温時における給湯開始時には、出湯温度Ｔｏが出湯目標温度Ｔｓｖに達するまでに長い時間を要することが懸念される。したがって、給湯開始に備えて給湯用経路を予め昇温するための給湯プレヒート運転を設けることが好ましい。たとえば、給湯プレヒート運転は、ユーザがリモコン４００を用いて入力した予約開始時刻に従って起動することができる。
【００９５】
図８は、実施の形態２に従う暖房運転中の分配弁の制御の第１の例を説明するフローチャートである。
【００９６】
図８を参照して、コントローラ１１０は、ステップＳ２００により暖房運転中であるかどうかを判定し、暖房運転中であれば（Ｓ２００のＹＥＳ判定時）、ステップＳ２１０に処理を進める。すなわち、図８に示した制御処理は、暖房運転中に実行される一方で、暖房運転の非実行中には実行されない。
【００９７】
コントローラ１１０は、ステップＳ２１０により、流量センサ２６０の流量検出値Ｑ１（すなわち、給湯経路の流量）を最小作動流量ＭＯＱと比較する。流量検出値Ｑ１がＭＯＱより大きいとき（Ｓ２１０のＹＥＳ判定時）には、コントローラ１１０は、ステップＳ２２０に処理を進めて、暖房および給湯の同時運転に移行する。同時運転では、分配弁１５０の開度、すなわち、熱媒体の分配率ηｘは、実施の形態１（図５〜図７）で説明したように、給湯余裕度に応じて制御される。
【００９８】
コントローラ１１０は、流量検出値Ｑ１が最小作動流量ＭＯＱ以下であるとき（Ｓ２１０のＮＯ判定時）には、ステップＳ２３０により、給湯プレヒート運転の要求中であるかどうかを判定する。たとえば、リモコン４００に予め入力された給湯プレヒート運転の予約開始時刻と、時計部１１６によって検知される現在日時との比較により、当該予約開始時刻が到来しているときに、ステップＳ２３０はＹＥＳ判定とされる。
【００９９】
コントローラ１１０は、暖房運転中に給湯プレヒート運転が要求されていないとき（Ｓ２３０のＮＯ判定時）には、ステップＳ２４０により、分配率ηｘ＝０に設定する。すなわち、分配弁１５０は、熱媒体の全量を暖房循環経路へ供給するように制御される。
【０１００】
一方で、コントローラ１１０は、暖房運転中、かつ、給湯プレヒート運転の要求中であるとき（Ｓ２３０のＹＥＳ判定時）、ステップＳ２５０により、分配率ηｘを予め定められた分配率α１（０＜α１＜１．０）に設定する。これにより、給湯が停止（Ｑ１＜ＭＯＱ）されていても、熱媒体の一部を給湯用熱交換器１４０の一次側経路１４１に通流することにより、給湯プレヒート運転を実現することができる。この結果、給湯開始時に、出湯温度Ｔｏを速やかに上昇することができる。
【０１０１】
あるいは、暖房給湯装置１００では、厳寒期に給湯が長時間実行されない場合に給湯経路が凍結することを防止するための凍結予防運転についても、同様に実行することが可能である。
【０１０２】
図９は、実施の形態２に従う暖房運転中の分配弁の制御の第２の例を説明するフローチャートである。
【０１０３】
図９を参照して、コントローラ１１０は、図８と同様のステップＳ２００，Ｓ２１０により、暖房運転中に流量検出値Ｑ１がＭＯＱより大きいときには、暖房および給湯の同時運転を実行する（Ｓ２２０）。
【０１０４】
一方で、コントローラ１１０は、暖房運転中に流量検出値Ｑ１が最小作動流量ＭＯＱ以下であるとき（Ｓ２１０のＮＯ判定時）には、ステップＳ２３５により、凍結予防運転の要求中であるかどうかを判定する。たとえば、暖房給湯装置１００の設置個所における外気温度が所定温度以下であるときに、給湯用熱交換器１４０に熱媒体が最後に通流してからの経過時間を計測するタイマ値が所定値に達すると、ステップＳ２３５はＹＥＳ判定とされる。
【０１０５】
コントローラ１１０は、暖房運転中に凍結予防運転が要求されていないとき（Ｓ２３５のＮＯ判定時）には、図８と同様のステップＳ２４０により、分配率ηｘ＝０に設定する。これにより、分配弁１５０によって、熱媒体の全量が暖房循環経路へ供給される。
【０１０６】
一方で、コントローラ１１０は、暖房運転中、かつ、凍結予防運転の要求中であるとき（Ｓ２３５のＹＥＳ判定時）、ステップＳ２５５により、分配率ηｘを予め定められた分配率α２（０＜α２＜１．０）に設定する。これにより、給湯が停止（Ｑ１＜ＭＯＱ）されていても、熱媒体の一部を給湯用熱交換器１４０の一次側経路１４１に通流することにより、二次側経路１４２を通じて、出湯管２１０、入水管２０６、バイパス流量制御弁１８０等の経路が温められるので、滞留水の凍結を防止することができる。
【０１０７】
ステップＳ２５５では、ステップＳ２３５での判定に用いられるタイマ値がクリアされる。これにより、厳寒期に給湯が長期間停止されても、一定時間毎に凍結予防運転を実行することができる。また、当該タイマ値については、図８で説明した給湯プレヒート運転、または、通常の給湯（給湯運転または同時運転）の実行に応じてクリアすることによって、実際に給湯用熱交換器１４０に熱媒体が通流されていない時間長に応じて凍結予防運転を起動することが可能となる。
【０１０８】
このように実施の形態２に従う暖房給湯装置によれば、給湯がオフされる暖房運転中においても、熱媒体の一部を給湯用熱交換器１４０の一次側経路１４１に通流するように分配弁１５０を制御することによって、給湯プレヒート運転および凍結予防運転を実行することができる。なお、実施の形態２に従う暖房給湯装置１００では、給湯プレヒート運転（図８）および凍結予防運転（図９）の一方のみを適用することも可能である。
【０１０９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１０】
１００  暖房給湯装置、１０１  出力端、１０２  入力端、１０５  缶体、１０６  排気管、１１０  コントローラ、１１２  メモリ、１１５  インターフェイス、１１６  時計部、１１７  電源回路、１２０  燃焼バーナ、１２１  流量制御バルブ、１２５  吸い込み式ファン、１３０  熱交換器、１３１  一次熱交換器、１３２  二次熱交換器、１４０  給湯用熱交換器、１４１  一次側経路、１４２  二次側経路、１５０  分配弁、１６０  循環ポンプ、１７０  流量調整弁、１８０  バイパス流量制御弁、１９０  圧力逃がし弁、１９５  水封トラップ、２０１〜２０５  配管、２０６  入水管、２０７  接続点、２０９  バイパス管、２１０  出湯管、２１４  合流点、２５１〜２５５  温度センサ、２６０  流量センサ、３００  暖房端末、３５０  給湯栓、４００  リモコン、４１０  表示部、４２０  操作部、５００，５１０  特性線、Ｑ１  流量検出値、Ｔ０〜Ｔ２  基準温度（高温水温度）、Ｔｈ  高温水温度、Ｔｈｍ  出力温度、Ｔｏ  出湯温度、Ｔｓｖ  出湯目標温度、Ｔｗ  低温水温度、Ｔｚ  下限温度（高温水温度）、ｄｘ  変化量、ｘ  ステップ数（分配弁）  η  バイパス比率、ηｘ  分配率（熱媒体）。
【図１】
2019027615.tif 000003
【図２】
2019027615.tif 000004
【図３】
2019027615.tif 000005
【図４】
2019027615.tif 000006
【図５】
2019027615.tif 000007
【図６】
2019027615.tif 000008
【図７】
2019027615.tif 000009
【図８】
2019027615.tif 000010
【図９】
2019027615.tif 000011